(57)【要約】【課題】  結節部を有するコードをインサータに通す際における該結節部での引っ掛かり等を防止して、結節部に起因する断線を防止することができるインサータ、および該インサータを具備する押出機用ゴム被覆ヘッドを提供する。【解決手段】  複数本のコードを所定のピッチで引き揃えるインサータ１である。先端開口３と、基端開口２と、該先端開口と該基端開口とを連通するコード通路４とを有するインサータ１において、基端開口２から先端開口３に向けコード通路４の孔径が縮小している。【選択図】        図１
2006123300.tif 000002
【特許請求の範囲】
【請求項１】
複数本のコードを所定のピッチで引き揃えるインサータであって、先端開口と、基端開口と、該先端開口と該基端開口とを連通するコード通路とを有するインサータにおいて、前記基端開口から前記先端開口に向け前記コード通路の孔径が縮小していることを特徴とするインサータ。
【請求項２】
前記基端開口から前記コード通路の略中央部まで前記先端開口に向け前記コード通路の孔径が漸次縮小している請求項１記載のインサータ。
【請求項３】
前記基端開口から前記先端開口まで前記コード通路の孔径が漸次縮小している請求項１記載のインサータ。
【請求項４】
前記基端開口が高さ方向に縦長の矩形をなし、かつ、前記先端開口が円形をなす請求項１〜３のうちいずれか一項記載のインサータ。
【請求項５】
前記基端開口が高さ方向に縦長の楕円形をなし、かつ、前記先端開口が円形をなす請求項１〜３のうちいずれか一項記載のインサータ。
【請求項６】
前記基端開口の縦長さが前記先端開口の直径の１〜３倍である請求項４または５記載のインサータ。
【請求項７】
ゴム被覆コードの出口寸法を特定する口金と、複数本のコードを所定のピッチで引き揃えるインサータと、このインサータを保持するとともに、口金との協働下で、引き揃えコードのそれぞれの側部にゴム流路を区画するインサータホルダとを具備する押出機用ゴム被覆ヘッドにおいて、
前記インサータとして請求項１〜６のうちいずれか一項記載のインサータを用いたことを特徴とする押出機用ゴム被覆ヘッド。
【発明の詳細な説明】
【技術分野】
【０００１】
本発明は、複数本のコードを所定のピッチで引き揃えるインサータ、および該インサータを保持するとともに、ゴム被覆コードの出口寸法を特定する口金との協働下で、引き揃えコードのそれぞれの側部にゴム流路を区画するインサータホルダを備える押出機用ゴム被覆ヘッドに関する。
【背景技術】
【０００２】
複数本の引き揃えコードに対するゴム被覆は、一般に、カレンダーロールによって形成されたそれぞれのゴムシートを、引き揃えコードの、たとえば、上下両側面に圧着させるカレンダー方式か、または、複数本の引き揃えコードを、押出機のゴム被覆ヘッドに通過させて、たとえば、その上下両側面に口金によって特定される寸法で押し出しゴムを被覆するインシュレーション方式によって行われている。前者のカレンダー方式に比べ、後者のインシュレーション方式ではコンパクトな設備でゴムを被覆することが可能となる等のメリットがあることから、用途に応じ広く用いられている。
【０００３】
かかるインシュレーション方式において使用される押出機用ゴム被覆ヘッドには、図８に示すように、複数本のコードを所定のピッチで引き揃えるインサータ５１が設けられている。このインサータ５１の１本のコード通路部分の断面を図９に示す。図９に示すように、このインサータ５１は、先端開口５３と、基端開口５２と、先端開口５３と基端開口５２とを連通するコード通路５４とを有し、基端開口５２から先端開口５３に至るまでコード通路５４の孔径は変化がなく一定である。従来、インサータ５１のコード通路５４は、コードの直径に対して１２０〜１３０％の穴径を有するのが一般的である。
【０００４】
ところで、空気入りタイヤやコンベアベルト、ホース等の各種ゴム製品においては、補強材として、有機繊維（テキスタイル）や金属繊維を用いた補強コードが使用されている。このうち、有機繊維コードとしては、一般に、複数本のモノフィラメントの集合体であるマルチフィラメントに撚りをかけ、これを２本または３本で撚り合わせてなる撚りコードが用いられるが、かかる有機繊維コードを製造する際には長さにバラツキを生ずる場合があり、また、用途によっては極めて長尺の撚りコードを必要とする場合もある。従って、このような場合には、有機繊維コード同士を端部で連結させることが必要となる。
【０００５】
従来、手作業で有機繊維コードを連結する一般的な方法として、電動ミシンによる縫い合わせ連結が行われていた。また、ノッターと呼ばれる装置を用いたコード連結方法も知られている。
【発明の開示】
【発明が解決しようとする課題】
【０００６】
上述のように、有機繊維コードを一般的な連結方法で連結した場合、連結箇所に結節部が形成される。かかる結節部を有するコードに対し、従来のインシュレーション方式でゴム被覆を行う場合、結節部がインサータ５１の穴に引っ掛かり、コード切れを生じることがあった。
【０００７】
これに対し、インサータ５１はインシュレーション時のコードの位置を決めるものであるため、インサータ５１の孔径を単純に変更することはできず、インサータ５１のコード通路５４の孔径を単に大きくすると、コードを所定のピッチで引き揃えることができなり、インサータ５１としての機能を果たすことができなくなるという問題があった。
【０００８】
そこで本発明の目的は、上記従来技術の問題を解消して、結節部を有するコードをインサータに通す際における該結節部での引っ掛かり等を防止して、結節部に起因する断線を防止することができるインサータ、および該インサータを具備する押出機用ゴム被覆ヘッドを提供することにある。
【課題を解決するための手段】
【０００９】
上記課題を解決するために、本発明のインサータは、複数本のコードを所定のピッチで引き揃えるインサータであって、先端開口と、基端開口と、該先端開口と該基端開口とを連通するコード通路とを有するインサータにおいて、前記基端開口から前記先端開口に向け前記コード通路の孔径が縮小していることを特徴とするものである。
【００１０】
本発明のインサータにおいては、前記基端開口から前記コード通路の略中央部まで前記先端開口に向け前記コード通路の孔径が漸次縮小していても、あるいは前記基端開口から前記先端開口まで前記コード通路の孔径が漸次縮小していてもよい。また、前記基端開口が高さ方向に縦長の矩形をなし、かつ、前記先端開口が円形をなしても、あるいは前記基端開口が高さ方向に縦長の楕円形をなし、かつ、前記基端開口が円形をなしてもよい。この場合、前記基端開口の縦長さは、好ましくは前記先端開口の直径の１〜３倍である。
【００１１】
また、本発明の押出機用ゴム被覆ヘッドは、ゴム被覆コードの出口寸法を特定する口金と、複数本のコードを所定のピッチで引き揃えるインサータと、このインサータを保持するとともに、口金との協働力下で、引き揃えコードのそれぞれの側部にゴム流路を区画するインサータホルダとを具備する押出機用ゴム被覆ヘッドにおいて、
前記インサータとして本発明のインサータを用いたことを特徴とするものである。
【発明の効果】
【００１２】
本発明のインサータによれば、結節部を有するコードを該インサータに通す際における該結節部での引っ掛かり等を防ぐことができ、結節部に起因する断線を防止することができる。よって、このインサータを具備する押出機用ゴム被覆ヘッドを用いれば、所定のピッチで引き揃えられた複数本のコードに対し安定してゴムを被覆することができる。
【発明を実施するための最良の形態】
【００１３】
以下に本発明の実施の形態を図面を参照して具体的に説明する。
図１は、複数本のコード１０を所定のピッチで引き揃える本発明の好適実施形態に係るインサータ１を示す。このインサータ１の１本のコード通路部分の断面を図２に示す。図２に示すように、このインサータ１は、先端開口３と、基端開口２と、先端開口３と基端開口２とを連通するコード通路４とを有し、基端開口２から先端開口３に向けコード通路４の孔径が縮小している。図示する例では、基端開口２からコード通路４の略中央部５まで先端開口３に向けコード通路４の孔径が漸次縮小している。
【００１４】
このように基端開口２から先端開口３までのコード通路４の孔径を設定することにより、結節部を有するコード１０をインサータ１に通しても該結節部での引っ掛かり等がなくなり、結節部に起因する断線を防止することができる。
【００１５】
このコード通路は、図３に示すように、基端開口１２から先端開口１３に至るまでコード通路１４の孔径を漸次縮小させても所期の効果を得ることができる。
【００１６】
また、図１に示すインサータ１では、基端開口２側から見た図４の側面図に示すように、基端開口２が高さ方向に縦長の矩形をなし、かつ、先端開口３が円形をなしているが、図５の、基端開口２２側から見た側面図に示すように、基端開口２２が高さ方向に縦長の楕円形をなし、かつ、先端開口２３が円形をなしていても同様の効果を得ることができる。このように基端開口を縦長とすることにより、コードの断線防止とともに、多数本のコード１０を所定のピッチで引き揃えることが可能となる。基端開口２の高さ方向の縦長さについては、特に制限されず、適宜設定することができる。
【００１７】
次に、本発明のインサータを具備する押出機用ゴム被覆ヘッドの好適実施形態について説明する。
図６は、本発明のゴム被覆ヘッドの実施形態を示す縦断面図であり、図示しない押出機本体は、図面の手前側位置もしくは後方側位置に存在することになる。
【００１８】
図中１０１は、押出機本体に固定したヘッド本体を示し、引き揃えコードに対する各種態様のゴム被覆に共用されるこのヘッド本体１０１は、押出機から押出されたゴムを上下に二分割して、後述する口金方向への流動をもたらす、中心軸線Ｃに対して対称に延在する上下のそれぞれのゴム流路１０２、１０３を有するとともに、並列配置した、所要の本数のコード１０４の、これも口金方向への通過を許容するコード通路１０５を有する。
【００１９】
このようなヘッド本体１０１に対し、図示する好適実施形態ではダイホルダ１０６を介して口金１０７を取り付けるとともに、ゴム被覆コードの出口寸法を特定するこの口金１０７の内側に、本発明のインサータ１０８を保持するインサータホルダ１０９を、ヘッド本体１０１への嵌め込み姿勢で配設する。
【００２０】
ここで、インサータ１０８は、コード通路１０５を経て導いた複数本のコード１０４を所定のピッチに引き揃えて口金１０７に引き渡すべく機能し、また、インサータホルダ１０９は、それを口金側に向けて先細りとする、テーパ状の上下のそれぞれの傾斜面１１０、１１１により、口金１０７の内面との協働下で、ゴム流路１０２、１０３に連続する先細り端部分１１２、１１３を区画するべく機能する。
【００２１】
また、この好適実施形態では、口金１０７を囲繞してそれを保持するダイホルダ１０６を、たとえば油圧シリンダとすることができる進退駆動手段１１４によって半径方向に駆動されるクランパ１１５により、相互の傾斜面の接触下で、ヘッド本体１０１に強固に押圧挟持する。
【００２２】
このような構造になるゴム被覆ヘッドは、クランパ１１５を後退変位させて、ダイホルダ１０６をヘッド本体１０１の前方側へ抜き取ることで、その主要構成部材を簡単に分解することができ、また、それらの組み付けもまた簡易に行うことができるので、インサータホルダ１０９の交換、補修等もまた極めて容易に行うことができる。
【００２３】
以上このように構成してなるゴム被覆ヘッドにより、たとえば、複数本のカーカスプライコードにゴム被覆を施す場合には、それらのコード１０４を図６に示すように、ヘッド本体１のコード通路１０５を経て本発明のインサータ１０８に導くとともに、このインサータ１０８で所定のコードピッチに引き揃え、それらを、中心軸線Ｃ上で口金１０７に貫通させる。この一方で、押出機から押出されたゴムを、上下のそれぞれのゴム流路１０２、１０３から口金１０７内へ流入させて、コード１０４への引き抜き外力の作用下で、複数本のコード１０４を口金１０７から引き出しつつ、それらのコード１０４へのゴムの付着をもたらし、口金１０７による外輪部形状の拘束下で、ゴムをコード１０４とともに口金１０７の外側へ押出し流下させる。このようにして複数本のカーカスプライコードにゴム被覆する間、コード１０４に結節部が形成されていても、インサータ１０８でのコード断絶を生じることなく、連続してゴム被覆を実施することができる。    
【００２４】
図７は、他の好適実施形態に係る押出機用ゴム被覆ヘッド２０１を示す縦断面図であり、これはゴム被覆ヘッド２０１の主要構造部材を、固定ダイヘッド２２１に対して、ヘッド本体側から組立てる構造とすることで、先に述べた好適実施形態における進退駆動手段１１４およびクランパ１１５を不要としたものである。その他、ゴム流路２０２、２０３及びインサータホルダ２２２の形態は上述の好適実施形態のものと異なるが、それ以外の基本構造は同じであり、本発明インサータ２０８を具備するものである。
【実施例】
【００２５】
以下、本発明を実施例に基づき説明する。
図１に示すインサータを図６に示すゴム被覆ヘッドに適用して結節点を有する有機繊維コードのゴム被覆を行った。なお、基端開口２の高さ方向の縦長さは、先端開口３の直径の２倍程度とした。また、先端開口３の直径は、コード径の１２０〜１３０％とし、結節点はコード径の１５０〜１６０％程度であった。
【００２６】
ゴム被覆を行った結果、インサータの穴にコードの結節点が引っ掛からず、従来と同程度のピッチにて安定したゴム被覆を実施することができた。
【図面の簡単な説明】
【００２７】
【図１】本発明のインサータの好適実施形態を示す斜視図である。
【図２】図１に示すインサータの断面図である。
【図３】本発明のインサータの他の好適実施形態の断面図である。
【図４】図１に示すインサータの部分側面図である。
【図５】本発明のインサータの他の好適実施形態の部分側面図である。
【図６】本発明のゴム被覆ヘッドの好適実施形態を示す縦断面図である。
【図７】本発明のゴム被覆ヘッドの他の好適実施形態を示す縦断面図である。
【図８】従来のインサータを示す斜視図である。
【図９】図８に示すインサータの断面図である。
【符号の説明】
【００２８】
１，１１  インサータ
２，１２，２２  基端開口
３，１３，２３  先端開口
４，１４  コード通路
１０  コード
１０１，２０１  ヘッド本体
１０２，１０３，２０２，２０３  ゴム流路
１０４  コード
１０５  コード通路
１０６，２２１  ダイホルダ
１０７  口金
１０８，２０８  インサータ
１０９，２２２  インサータホルダ
１１０，１１１  傾斜面
１１２，１１３  先細り端部分
１１４  進退駆動手段
１１５  クランパ
Ｃ  中心軸線
【図１】
2006123300.tif 000003
【図２】
2006123300.tif 000004
【図３】
2006123300.tif 000005
【図４】
2006123300.tif 000006
【図５】
2006123300.tif 000007
【図６】
2006123300.tif 000008
【図７】
2006123300.tif 000009
【図８】
2006123300.tif 000010
【図９】
2006123300.tif 000011